(57)【特許請求の範囲】
【請求項１】
建物の壁面と並行し略円筒外面をなす把持棒部の端部に、終端において壁面への取付板部が形成されたブラケット部が壁面に向けて曲成され、該把持棒部の端部から該ブラケット部全長にわたる外側半周面には該取付板部を壁面に止着するアンカー具操作用空隙が凹設されている凸面状凹陥部が形成された手摺主体と、該手摺主体の該凸面状凹陥部に嵌合被覆されて手摺の滑らかな外表面を現出する略円弧状断面をなす弾性材料製のキャップとよりなる建物用手摺において、該凸面状凹陥部には、その肩部両側において一対の肩部支持凹窪が形成され、またその終端である該取付板部の両側において一対の終端側支持凹窪が形成され、さらに該取付板部の外端において欠截端面が形成され、他方該キャップには、その肩部両側内面において該肩部支持凹窪に係止する一対の頂方向に細くなる矢状爪片が形成され、またその終端部両側内面において該終端側支持凹窪に係止する一対の終端側爪片が形成され、嵌合被覆された該キャップの終端側中央部は該欠截端面に対しては非接触空間を保持した状態で、また該欠截端面の周囲縁には接触可能な近接状態で被覆されていることを特徴とする建物用手摺。
【請求項２】
建物の壁面と並行し略円筒外面をなす把持棒部の端部に、終端において壁面への取付板部が形成されたブラケット部が壁面に向けて曲成され、該把持棒部の端部から該ブラケット部全長にわたる外側半周面には該取付板部を壁面に止着するアンカー具操作用空隙が凹設されている凸面状凹陥部が形成された手摺主体と、該手摺主体の該凸面状凹陥部に嵌合被覆されて手摺の滑らかな外表面を現出する略円弧状断面をなす弾性材料製のキャップとよりなる建物用手摺において、該凸面状凹陥部には、その頂端において頂部支持凹溝が形成され、またその肩部両側において一対の肩部支持凹窪が形成され、さらにその終端である該取付板部の両側において一対の終端側支持凹窪が形成され、またその該取付板部の外端において欠截端面が形成され、他方該キャップには、その頂端内面において該頂部支持凹溝に係止する頂部爪片が形成され、またその肩部両側内面において該肩部支持凹窪に係止する一対の頂方向に細くなる矢状爪片が形成され、さらにその終端部両側内面において該終端側支持凹窪に係止する一対の終端側爪片が形成され、嵌合被覆された該キャップの終端側中央部は該欠截端面に対しては非接触空間を保持した状態で、また該欠截端面の周囲縁には接触可能な近接状態で被覆されていることを特徴とする建物用手摺。
【請求項３】
前記手摺主体は、無機繊維を混入して補強した合成樹脂によって一体的に成形されていることを特徴とする請求項１又は請求項２記載の建物用手摺。
【請求項４】
前記把持棒部の一端部に、前記ブラケット部が曲成されていることを特徴とする請求項１乃至３のいずれか１項記載の建物用手摺。
【請求項５】
前記把持棒部の両端部に、前記ブラケット部が曲成されていることを特徴とする請求項１乃至４のいずれか１項記載の建物用手摺。
【発明の詳細な説明】
【０００１】
【発明の属する技術分野】
本発明は、建物に設置する手摺、特に浴室、洗面所、便所等の壁面に設置される建物用手摺に関する。
【０００２】
【従来の技術】
特に浴室、洗面所、便所等において浴槽、洗面器具、便器等の衛生器具に近接した建物壁面に設置される手摺は、湿気による影響を避けるために、手摺ブラケットのアンカー具を含む取付装置等は外部に露出しないようにすることが好ましく、また手摺の把持部分とブラケットとの接続部に浸水しないように把持部分とブラケットとを一体のものとすることも好ましく、そのようにすることによって手摺の使用感も向上し、その外観も優美となることが考えられる。一方前記衛生器具は、湿気や熱等による影響や使用者が直接接触する力学的影響によって劣化や破損を生じ、屡々衛生器具の修理や新品交換を行う機会が生じるが、前記衛生器具に近接して設置される手摺が衛生器具の修理や新品交換の作業に邪魔になり、手摺を取外して作業を行わなければならない事例もあり、そのような場合には取付装置を露出させて取付装置を操作し一時的に手摺の取外す必要性が生じる。しかしながら、手摺使用中には取付装置を露出させず、取付装置の操作時には容易にその作業面を露出させるような条件を満足する従来製品は存在しない。
【０００３】
【発明が解決しようとする課題】
本発明が解決しようとする課題は、手摺把持部とブラケットとを一体化し、且つアンカー具を含む壁面への取付装置を外部に露出しないように内蔵させることによって手摺部品の劣化防止、使用感の向上、優美な外観等を実現すると同時に、手摺設置後に手摺を取外す作業時等には、簡単な操作で内蔵されている取付装置の作業面を露出させることができる建物用手摺を提供することにある。
【０００４】
【課題を解決するための手段】
前記課題を解決するために、本発明に係る建物用手摺は、建物の壁面と並行し略円筒外面をなす把持棒部の端部に、終端において壁面への取付板部が形成されたブラケット部が壁面に向けて曲成され、該把持棒部の端部から該ブラケット部全長にわたる外側半周面には該取付板部を壁面に止着するアンカー具操作用空隙が凹設されている凸面状凹陥部が形成された手摺主体と、該手摺主体の該凸面状凹陥部に嵌合被覆されて手摺の滑らかな外表面を現出する略円弧状断面をなす弾性材料製のキャップとよりなる建物用手摺において、該凸面状凹陥部には、その肩部両側において一対の肩部支持凹窪が形成され、またその終端である該取付板部の両側において一対の終端側支持凹窪が形成され、さらに該取付板部の外端において欠截端面が形成され、他方該キャップには、その肩部両側内面において該肩部支持凹窪に係止する一対の頂方向に細くなる矢状爪片が形成され、またその終端部両側内面において該終端側支持凹窪に係止する一対の終端側爪片が形成され、嵌合被覆された該キャップの終端側中央部は該欠截端面に対しては非接触空間を保持した状態で、また該欠截端面の周囲縁には接触可能な近接状態で被覆されていることを主な特徴とする。
【０００５】
また、常時手摺主体とキャップとの係止をより確実にするために、本発明に係る建物用手摺は、建物の壁面と並行し略円筒外面をなす把持棒部の端部に、終端において壁面への取付板部が形成されたブラケット部が壁面に向けて曲成され、該把持棒部の端部から該ブラケット部全長にわたる外側半周面には該取付板部を壁面に止着するアンカー具操作用空隙が凹設されている凸面状凹陥部が形成された手摺主体と、該手摺主体の該凸面状凹陥部に嵌合被覆されて手摺の滑らかな外表面を現出する略円弧状断面をなす弾性材料製のキャップとよりなる建物用手摺において、該凸面状凹陥部には、その頂端において頂部支持凹溝が形成され、またその肩部両側において一対の肩部支持凹窪が形成され、さらにその終端である該取付板部の両側において一対の終端側支持凹窪が形成され、またその該取付板部の外端において欠截端面が形成され、他方該キャップには、その頂端内面において該頂部支持凹溝に係止する頂部爪片が形成され、またその肩部両側内面において該肩部支持凹窪に係止する一対の頂方向に細くなる矢状爪片が形成され、さらにその終端部両側内面において該終端側支持凹窪に係止する一対の終端側爪片が形成され、嵌合被覆された該キャップの終端側中央部は該欠截端面に対しては非接触空間を保持した状態で、また該欠截端面の周囲縁には接触可能な近接状態で被覆されていることを特徴とする。
【０００６】
さらに、本発明の建物用手摺は、その手摺主体がガラス繊維で補強した合成樹脂で一体的に成形されていることや、前記把持棒部の両端部に前記ブラケット部が曲成されていて、両端の前記ブラケット部を壁面に取付ける態様を含むことや、壁面と並行するＬ字状の手摺において、その手摺末端に位置する前記把持棒部の一端部に前記ブラケット部が曲成されている態様が含まれること等を特徴とする。
【０００７】
【発明の実施の形態】
本発明の実施の形態について添付図面を参照して説明する。
図１は本発明に係る建物用手摺における一実施形態の斜視図であって、浴室、洗面所、便所等において浴槽、洗面器具、便器等の衛生器具に近接した建物の壁面Ｗに設置された一般的に補助手摺と称される直線状の建物用手摺が示されている。手摺は壁面Ｗと並行し略円筒外面をなす把持棒部２の端部に、壁面Ｗへの取付のためのブラケット部３が一体的に形成された手摺主体１と、ブラケット部３内部に設けられた壁面Ｗへの取付装置を操作するためにブラケット部３に対して取外し可能なキャップ４とよりなる。手摺主体１は鉱物繊維を混入した熱可塑性樹脂、特にガラス繊維を混入したナイロン樹脂を射出成形して把持棒部２とブラケット部３とが一体的に製造されるので、充分な耐力を有する製品を容易に得ることができる。
【０００８】
図２乃至図５には、図１に示された手摺の一端部がより詳細に示されている。手摺主体１には、壁面Ｗと並行し略円筒外面を有する把持棒部２の終端に、先端において壁面Ｗへの略長円形平面をなす取付板部５が形成されたブラケット部３が壁面Ｗに向けて曲成されており、また把持棒部２の端部からブラケット部３の全長にわたる外側半周面には、取付板部５を壁面に止着するアンカー具操作用空隙６が凹設されている凸面状凹陥部７が形成されている。手摺の壁面Ｗへの設置に使用される取付手段には種々な方法が採用されるが、この実施形態では、図５に示されるように、取付板部５の裏面側に固定座８を嵌合し、取付板部５の表面側から固定座８に嵌合された取付金具９に対してビス１０を締付けて固定座８を取付板部５に固定した手摺主体１を壁面Ｗ上に配置し、固定座８の締付孔１１からアンカー具即ちアンカー螺子１２を壁面Ｗに対して締付ける手段が採用されている。アンカー具操作用空隙６はビス１０やアンカー螺子１２の締付け等の作業をする場合にドライバー等の工具を挿入するために役立つ。手摺主体１の凸面状凹陥部７には手摺の滑らかな外表面を現出するように略円弧状断面で弾力材料製のキャップ４が嵌合される。キャップ４は手摺主体１と同一材料で製造されることが望ましい。
【０００９】
手摺主体１の把持棒部２とブラケット部３は一体的に形成され、且つ壁面Ｗへの取付装置を外部に露出しないように内蔵させているので、別体である把持棒部とブラケット部との間の接続部や露出する取付装置が存在しないから、これらの手摺部品の浸水による劣化を防止することができる。また把持棒部２とブラケット部３との間の接続部や露出する建物壁面への取付装置が存在しないから、使用者が部品の隙間や取付金具等に接触することがなく、円滑な表面のみ把持することになるから使用感が向上する。さらに手摺全体の外観も機械的な抵抗感が少なく優美である。特に図１に示される建物用手摺は把持棒部２の両端部にブラケット部３，３が形成されるので、手摺主体１は全体が一体的に製造され、防水性が良好で力学的に丈夫な建物用手摺を安価に得ることができる。
【００１０】
図２乃至図５において、手摺の取付作業はアンカー具操作用空隙１２が露出された状態、即ちキャップ４が外された状態で行われる。また浴槽、洗面器具、便器等の衛生器具は、湿気や熱等の影響や使用者が直接接触する力学的影響によって劣化や破損する場合があり、屡々衛生器具の修理や新品交換を行う機会が生じるが、衛生器具に近接して設置される手摺が衛生器具の修理や新品交換の作業に邪魔になり、手摺を取外して作業を行わなければならない事例も生じ、そのようなときには、同様にキャップ４が外された状態で壁面Ｗへの取付手段の操作を行わなければならない。本発明ではキャップ４が被覆された状態では、充分な内部の水密性を保つと同時に不用意なキャップの脱落を防止し、キャップ４を意図的に取外す場合には簡単な操作でキャップ４を取外すことが可能とするために、キャップ４の係合構造に主な特徴を有している。
【００１１】
即ち、手摺主体１の凸面状凹陥部７には、その頂端において頂部支持凹溝１３が形成され、またその肩部両側において一対の肩部支持凹窪１４，１４が形成され、さらにその終端である取付板部５の両側において一対の終端側支持凹窪１５，１５が形成され、またその取付板部５の外端において取付板部４に略垂直状の欠截端面１６が形成されており、他方キャップ４には頂部支持凹溝１３に係止できるようにその頂端内面において頂部爪片１７が突設され、また肩部支持凹窪１４，１４に係止できるようにその肩部両側内面において一対の頂方向に細くなる矢状爪片１８，１８が形成され、さらに終端側支持凹窪１５，１５に係止できるように一対の終端側爪片１９，１９が形成されている。そして手摺主体１の頂部支持凹溝１３、肩部支持凹窪１４、終端側支持凹窪１５にそれぞれキャップ４の頂部爪片１７、矢状爪片１８、終端側爪片１９が係止されて手摺主体１の凸面状凹陥部７にキャップ４が嵌合された場合に、キャップ４の外面は手摺主体１の外面に一致して滑らかな表面を現出すると共に、キャップ４の終端側中央部２０は欠截端面１６の外面に対しては非接触空間を保持し、欠截端面１６の周囲縁２１には接触可能な近接状態で被覆される。
【００１２】
手摺主体１を壁面Ｗに取付けた後に、手摺主体１にキャップ４を嵌合被覆する場合には、キャップ４の終端縁を取付板部５の端縁に揃え、キャップ４をそのまま手摺主体１の方向に押込むと、キャップ４の弾性により、キャップ４の頂部爪片１７、矢状爪片１８および終端側爪片１９が手摺主体１の頂部支持凹溝１３、肩部支持凹窪１４および終端側支持凹窪１５に係止し、単一動作でキャップ４が手摺主体１に嵌合被覆される。嵌合被覆された状態でキャップ４は手摺主体１の凸面状凹陥部７に密着されるから、矢状爪片１８，１８付近への外方からの荷重によってキャップ４が変形して係止が外れたりすることなく、また内部に浸水させることがなく、内部に存在するアンカー螺子１２を含む取付装置を劣化させることがない。またキャップ４の表面は手摺主体１の表面と同一面を形成するから、使用者はキャップの存在を意識することなく、把持棒部２とブラケット部３が一体化された滑らかな手摺表面を把持することができる。嵌合被覆されたキャップ４は、意図的に取外し操作を行わない限りその弾力を利用して手摺主体１への嵌合状態が維持され、不用意に脱落するようなことがない。なおキャップ４内面にアンカー具操作用空隙６の縁に当接する係止突片２２を突設させれば、キャップ４の嵌合時に嵌合位置の保持をより確実に行うことができる。
【００１３】
嵌合されたキャップ４を意図的に取外す場合には、キャップ４の終端側中央部２０を弾力に抗して押圧する。すると終端部中央部２０は取付板部５の欠截端面１６に非接触状態を保持しているので、欠截端面１６側に移動すると同時に、その周囲は欠截端面１６の周囲縁２１に接触するので、梃子の作用により、キャップ４終端側の両側が外方に開くことにより各終端側支持凹窪１５，１５に係止している一対の終端側爪片１９がそれぞれ外方に抜出して係止状態が解除されると共に、キャップ４の頂方部分は頂方向に移動するので頂部支持凹溝１３に係止している頂部爪片１７が上方に抜出し、各肩部支持凹窪１４，１４に係止している一対の矢状爪片１８，１８が矢状の形状に沿って上方に抜出して係止状態を解除する。終端側爪片１９、頂部爪片１７および矢状爪片１８の係止状態を解除することによってキャップ４は手摺主体１から離脱する。このように単一操作によってキャップ４の取外しが完了し、内部のアンカー螺子１２を含む手摺の取付装置を露出させることができる。なお手摺主体１における頂部支持凹溝１３およびキャップ４における頂部爪片１７は、それぞれ省略される場合もあり、この実施形態のように、頂部支持凹溝１３頂部爪片１７が形成され、頂部支持凹溝１３に頂部爪片１７が係止されると、係止状態をより確実にすることができる。
【００１４】
図６には本発明による他の実施形態が示されている。この実施形態では壁面Ｗに並行してＬ字状に配設される手摺であって、手摺隅部には隅部ブラケット２３が固定され、隅部ブラケット２３にそれぞれ手摺主体１，１における把持棒部２，２の各一端が取付けられている。手摺の各末端側、即ち把持棒部２の各他端側は、前記した実施形態と同様に、把持棒部２とブラケット部３が一体的に形成され、キャップ４，４が嵌合された構成を有しており、同様の作用効果を奏する。このように把持棒部２の一端部にのみブラケット部３が一体的に形成される手摺主体１は、Ｌ字状手摺を形成する場合に有効である。
【００１５】
【発明の効果】
本発明は、次のような効果を奏する。
Ａ．壁面に取付後、手摺主体にキャップを嵌合被覆する場合には、キャップの終端縁を取付板部の端縁に揃え、キャップをそのまま手摺主体側に押込むと、キャップの弾性により、キャップの矢状爪片および終端側爪片が手摺主体の肩部支持凹窪および終端側支持凹窪に係止し、単一動作でキャップが手摺主体に嵌合被覆される。嵌合被覆された状態でキャップは手摺主体の凸面状凹陥部に密着されるから、内部を浸水させることがなく、内部に存在するアンカー具を含む取付装置を劣化させることがない。またキャップの表面は手摺主体の表面と同一面を形成するから、使用者はキャップの存在を意識することなく、把持棒部とブラケット部が一体化された滑らかな手摺表面を把持することができる。嵌合被覆されたキャップは、意図的に取外し操作を行わない限りその弾力を利用して手摺主体への嵌合状態が維持され、不用意に脱落するようなことがない。
【００１６】
Ｂ．嵌合されたキャップを意図的に取外す場合には、キャップの終端側中央部を弾力に抗して押圧する。すると終端側中央部は取付板部の欠截端面に非接触状態を保持しているので、欠截端面側に移動すると同時に、その周囲は欠截端面の周囲縁に接触するので、梃子の作用により、キャップ終端側の両側が外方に開くことにより各終端側支持凹窪に係止している一対の終端側爪片がそれぞれ外方に抜出して係止状態が解除されると共に、キャップの頂方部分は頂方向に移動するので各肩部支持凹窟に係止している一対の矢状爪片が矢状の形状に沿って肩部支持凹窟を上方に抜出して係止状態を解除する。終端側爪片および矢状爪片の係止状態を解除することによってキャップは手摺主体から離脱する。このように単一操作によってキャップの取外しが完了し、内部のアンカー具を含む手摺の取付装置を露出させることができる。
【００１７】
Ｃ．手摺主体の把持棒部とブラケット部は一体的に形成され、且つ建物壁面への取付装置を外部に露出しないように内蔵させているので、別体である把持棒部とブラケット部との間の接続部や露出する取付装置が存在しないから、これらの手摺部品の浸水による劣化を防止することができる。また把持棒部とブラケット部との間の接続部や露出する建物壁面への取付装置が存在しないから、使用者が部品の隙間や取付金具等に接触することがなく、円滑な表面のみ把持することになるから使用感が向上する。さらに手摺全体の外観も機械的な抵抗感が少なく優美である。
Ｄ．凸面状凹嵌部頂端に頂部支持凹溝が形成され、対応するキャップ頂端内面に頂部爪片が形成され、頂部支持凹溝に頂部爪片が係止されると、さらに係止状態を確実にすることができる。
Ｅ．手摺主体は、無機繊維を混入して補強された合成樹脂によって一体的に成形されるので、充分な耐力を有する製品を容易に製造することができる。
Ｆ．把持棒部の両端部にブラケット部が形成される場合には、両ブラケット部を含む手摺主体の全体が一体的に製造されることになり、防水性が良好で力学的に丈夫な建物用手摺を安価に得ることができる。
Ｇ．把持棒部の一端部にブラケット部が一体的に形成される場合には、Ｌ字状手摺を形成する場合に有効である。
【図面の簡単な説明】
【図１】本発明の一実施形態を示す斜視図である。
【図２】手摺端部を示す分解斜視図である。
【図３】手摺主体の把持棒部端部における断面図である。
【図４】手摺主体の取付板部を示す底面図である。
【図５】手摺端部の縦断面図である。
【図６】本発明の他の実施形態を示す斜視図である。
【符号の説明】
１  手摺主体
２  把持棒部
３  ブラケット部
４  キャップ
５  取付板部
６  アンカー具操作用空隙
７  凸面状凹陥部
１３  頂部支持凹溝
１４  肩部支持凹窪
１５  終端側支持凹窪
１６  欠截端面
１７  頂部爪片
１８  矢状爪片
１９  終端側爪片
２０  終端側中央部
２１  周囲縁
【図１】
0004350246.tif 000002
【図２】
0004350246.tif 000003
【図３】
0004350246.tif 000004
【図４】
0004350246.tif 000005
【図５】
0004350246.tif 000006
【図６】
0004350246.tif 000007